(57)【特許請求の範囲】
【請求項１】
変速ケーブルのインナーケーブルに一体に備えらえたストッパーと、
前記インナーケーブルとは離隔し、前記ストッパーとは接触できるように前記インナーケーブルの周囲に備えられて、振動を吸収および絶縁する防振部材と、
前記防振部材の外側を囲んで支持するダンパーハウジングと、を備えて構成され、
前記ダンパーハウジングの内部には、前記防振部材によって互いに絶縁された状態で二つの連結パイプが備えられ、
前記二つの連結パイプの端部には、外径が拡張した形状のフランジが備えられて、前記二つのフランジが互いに対向して位置しており、
変速レバー側の連結パイプは、変速レバーマウンティングブラケットに装着されるマウンティングソケットに連結され、
前記変速レバー側とは反対側の連結パイプは、前記変速ケーブルのアウターケーブルに連結され、
前記ストッパーは、前記インナーケーブルの周囲へ半径が拡張する形状に形成され、
前記防振部材は、前記二つの連結パイプのフランジの間で前記ストッパーと接触できるように、前記二つのフランジの間で半径が狭くなる小径部を備え、
前記ストッパーは、変速レバーがＰ、Ｒ、Ｎレンジ状態では防振部材に接触せず、前記インナーケーブルがＤレンジ状態に引っ張られた状態で、前記防振部材の小径部に接触するように前記インナーケーブルに装着されることを特徴とする変速ケーブルのノイズ低減装置。
【請求項２】
前記ストッパーは、変速レバー側に向かって、徐々に直径が小さくなる形態に形成され、
前記防振部材の小径部は、前記ストッパーの形状に相応して、前記変速レバー側に向かって、徐々に開口された直径が狭くなるように形成されることを特徴とする請求項１に記載の変速ケーブルのノイズ低減装置。
【請求項３】
前記ダンパーハウジングは、前記二つの連結パイプのフランジの間が互いに広がるのを制限できるように、前記二つのフランジを囲む形状に形成されることを特徴とする請求項１又は２に記載の変速ケーブルのノイズ低減装置。
【請求項４】
前記二つの連結パイプは、各々フランジが先端に備えられたＴ字型の断面に形成されて、前記二つのフランジが互いに向き合うように配置され、
前記ダンパーハウジングは、Ｕ字型の断面が前記二つの連結パイプの周囲で回転する形状に形成されることを特徴とする請求項１乃至３のいずれかに記載の変速ケーブルのノイズ低減装置。
【発明の詳細な説明】
【技術分野】
【０００１】
本発明は、変速ケーブルのノイズ低減装置に係り、より詳しくは、自動変速機付き車両のギア・ホワイン・ノイズ（ｇｅａｒ  ｗｈｉｎｅ  ｎｏｉｓｅ）が変速ケーブルを通じて車両の室内に伝えられることを絶縁するのに用いられる技術に関する。
【背景技術】
【０００２】
車両に搭載された変速装置は、手動変速機でも、自動変速機でも、いずれも室内の操作部に相当する変速レバーを備え、該変速レバーの操作力が変速ケーブルを通じて変速機に伝えられる基本的な構造を有している。したがって、このような変速機で発生するギアのホワイン・ノイズは、上記変速ケーブルを通じて車両の室内に伝達されるため、従来はこのようなノイズを遮断するために変速ケーブルにマスダンパーを装着する方法が主に用いられていた。しかし、前述したように、変速ケーブルにマスダンパーを装着する方法は、マスダンパーによる重量の増加を避けることができず、その所要費用においても、相当な問題点があった。
【先行技術文献】
【特許文献】
【０００３】
【特許文献１】特開２００１−１８２８０７号公報
【特許文献２】特開平０７−１２７７４２号公報
【発明の概要】
【発明が解決しようとする課題】
【０００４】
本発明は、上記問題点を解決するためになされたものであって、マスダンパーのような過度な重量体を用いることなく、変速機から変速ケーブルを通じて、室内に伝達されるノイズを効果的に吸収および絶縁できるようにすることにより、車両の静粛性と乗車感を向上できるようにした変速ケーブルのノイズ低減装置を提供することにその目的がある。
【課題を解決するための手段】
【０００５】
上記目的を達成するために案出された本発明の変速ケーブルのノイズ低減装置は、変速ケーブルのインナーケーブルに一体に備えらえたストッパーと、前記インナーケーブルとは離隔し、前記ストッパーとは接触できるように前記インナーケーブルの周囲に備えられて、振動を吸収および絶縁する防振部材と、前記防振部材の外側を囲んで支持するダンパーハウジングと、を備えて構成され、前記ダンパーハウジングの内部には、前記防振部材によって互いに絶縁された状態で二つの連結パイプが備えられ、前記二つの連結パイプの端部には、外径が拡張した形状のフランジが備えられて、前記二つのフランジが互いに対向して位置しており、変速レバー側の連結パイプは、変速レバーマウンティングブラケットに装着されるマウンティングソケットに連結され、前記変速レバー側とは反対側の連結パイプは、前記変速ケーブルのアウターケーブルに連結され、前記ストッパーは、前記インナーケーブルの周囲へ半径が拡張する形状に形成され、前記防振部材は、前記二つの連結パイプのフランジの間で前記ストッパーと接触できるように、前記二つのフランジの間で半径が狭くなる小径部を備え、前記ストッパーは、変速レバーがＰ、Ｒ、Ｎレンジ状態では防振部材に接触せず、前記インナーケーブルがＤレンジ状態に引っ張られた状態で、前記防振部材の小径部に接触するように前記インナーケーブルに装着されることを特徴とする。
【０００６】
このような変速ケーブルのノイズ低減装置において、前記ストッパーは、変速レバー側に向かって、徐々に直径が小さくなる形態に形成され、前記防振部材の小径部は、前記ストッパーの形状に相応して、前記変速レバー側に向かって、徐々に開口された直径が狭くなるように形成されることが好ましい。
【０００７】
また、前記ダンパーハウジングは、前記二つの連結パイプのフランジの間が互いに広がるのを制限できるように、前記二つのフランジを囲む形状に形成されることが好ましい。
【０００８】
また、前記二つの連結パイプは、各々フランジが先端に備えられたＴ字型の断面に形成されて、前記二つのフランジが互いに向き合うように配置され、前記ダンパーハウジングは、Ｕ字型の断面が前記二つの連結パイプの周囲で回転する形状に形成されることが好ましい。
【発明の効果】
【０００９】
本発明によれば、マスダンパーのような過度の重量体を用いることなく、変速機から変速ケーブルを通じて、室内に伝達されるノイズを効果的に吸収および絶縁することにより、車両の静粛性と乗車感を向上させることができる。
【図面の簡単な説明】
【００１０】
【図１】本発明に係る変速ケーブルのノイズ低減装置の構造を説明した図である。
【図２】本発明の他の実施形態を示す図である。
【発明を実施するための形態】
【００１１】
図１に示すとおり、本発明の実施形態は、変速ケーブルのインナーケーブル１に一体に備えられたストッパー３と、インナーケーブル１とは離隔し、ストッパー３とは接触できるようにインナーケーブル１の周囲に備えられて、振動を吸収および絶縁する防振部材５と、防振部材５の外側を囲んで支持するダンパーハウジング７とから構成される。ダンパーハウジング７の内部には、防振部材５によって互いに絶縁した状態で二つの連結パイプ９が備えられ、また、二つの連結パイプ９の端部には、外径が拡張した形状のフランジ１１が備えられて、二つのフランジ１１が互いに対向して位置しており、二つの連結パイプ９の少なくとも一つは、変速ケーブルのアウターケーブルに連結される。
【００１２】
すなわち、連結パイプ９は、アウターケーブルに連結されてアウターケーブルの役割を代行するものであって、アウターケーブルの中間の部分にダンパーハウジング７およびストッパー３が位置する場合には、二つの連結パイプ９がいずれもアウターケーブルにスウェージングなどの方法で連結される構造を有する。図２に示すとおり、変速レバー側の連結パイプ９は、変速レバーマウンティングブラケットに装着されるマウンティングソケット１３に連結される構造を有し、この場合、マウンティングソケット１３と連結される連結パイプ９は、図示したように、両端が互いに対称となる構成で形成されるのが好ましい。
【００１３】
ストッパー３は、インナーケーブル１の周囲へ半径が拡張する形状に形成され、防振部材５は、二つの連結パイプ９のフランジ１１の間でストッパー３と接触できるように、二つのフランジ１１の間で半径が狭くなる小径部１５を備えた構造である。ストッパー３は、インナーケーブル１がＤレンジ状態に引っ張られた状態で、防振部材５の小径部１５に接触するようにインナーケーブル１に装着される。すなわち、変速レバーがＰ、Ｒ、Ｎレンジ状態にある間は、ストッパー３が相対的に弱く引っ張られた位置にあるため、ストッパー３が防振部材５に接触せず、変速機からのノイズが最も大きなＤレンジ状態でストッパー３が防振部材５に接触することにより、インナーケーブル１を通じて伝えられる振動およびノイズが防振部材５によって吸収および絶縁され、車両の室内静粛性と乗車感の向上をもたらすようにしたのである。
【００１４】
ストッパー３は、変速レバー側に向かって徐々に直径が小さくなる形態に形成され、防振部材５の小径部１５は、ストッパー３の形状に相応して、変速レバー側に向かって徐々に開口された直径が狭くなるように形成される。したがって、インナーケーブル１がＤレンジ状態に引っ張られるに伴い、ストッパー３が防振部材５となるべく広い接触面を形成しながら安定した接触状態を確保できるようになる。
【００１５】
二つの連結パイプ９は、各々フランジ１１が先端に備えらえたＴ字型の断面に形成されて、二つのフランジ１１が互いに向き合うように配置され、ダンパーハウジング７は、Ｕ字型の断面が二つの連結パイプ９の周囲で回転する形状に形成され、ダンパーハウジング７が二つの連結パイプ９のフランジ１１の間が互いに広がるのを制限できるように二つのフランジ１１を囲む形状となっている。一方、防振部材５には、主にゴム材質が用いられれが、その他にも効果的に振動を吸収および遮断することができ、ダンパーハウジング７と連結パイプ９などの構成が互いに機械的に安定した位置関係を維持することができる材質であれば、どんなものでも使用可能である。
【符号の説明】
【００１６】
１：インナーケーブル
３：ストッパー
５：防振部材
７：ダンパーハウジング
９：連結パイプ
１１：フランジ
１３：マウンティングソケット
１５：小径部
【図１】
0005535579.tif 000002
【図２】
0005535579.tif 000003